(57)【要約】  アダプタマニホールド及びシリンジアプリケータであって、アダプタ本体が、入口ポートが出口ポート間の軸方向距離とは異なる軸方向距離だけ離れた、実質的に平行な入口ポート及び実質的に平行な出口ポートを有して、実質的に平行な複数のシリンジを有するシリンジアプリケータを収容しており、実質的に平行なシリンジコネクタが、ルアータイプの受容器を近位端に有する入口ポートと流体連通しており、シリンジコネクタが、アダプタ本体の近位端に向かって付勢されている、アダプタマニホールド及びシリンジアプリケータ。
2021521917.tif 000002
【特許請求の範囲】
【請求項１】
マルチバレル式シリンジアプリケータ用のアダプタマニホールドであって、
実質的に平行な入口ポート及び実質的に平行な出口ポートを有するアダプタ本体であって、前記入口ポートが、前記出口ポート間の軸方向距離とは異なる軸方向距離だけ離れている、アダプタ本体と、
ルアータイプの受容器を近位端に有する、前記入口ポートと流体連通する実質的に平行なシリンジコネクタと、を備え、前記シリンジコネクタが、前記アダプタ本体の近位端に向かって付勢されている、アダプタマニホールド。
【請求項２】
前記入口ポート間の前記軸方向距離が、前記出口ポート間の前記軸方向距離よりも大きい、請求項１に記載のアダプタマニホールド。
【請求項３】
前記付勢が、前記アダプタマニホールドと前記ルアータイプの受容器との間に拘束されたエラストマスペーサで達成される、請求項１に記載のアダプタマニホールド。
【請求項４】
前記付勢が、前記アダプタマニホールドと前記ルアータイプの受容器との間に拘束されたバネで達成される、請求項１に記載のアダプタマニホールド。
【請求項５】
前記バネが、前記入口ポート及び前記シリンジコネクタを取り囲む圧縮バネであり、前記入口ポート及び前記シリンジコネクタを取り囲む環状バネ座間に拘束されている、請求項４に記載のアダプタマニホールド。
【請求項６】
前記シリンジコネクタが、前記アダプタ本体の前記入口ポート内に摺動可能に位置決めされた円筒管をその遠位端に有する、請求項１に記載のアダプタマニホールド。
【請求項７】
前記シリンジコネクタの前記ルアータイプの受容器が、前記ルアータイプの受容器を取り囲む実質的に平行な開口部を有する、前記アダプタ本体の近位部分内に位置決めされた、ルアータイプのリテーナによって、前記アダプタ本体内に摺動可能に拘束されて保持されている、請求項１に記載のアダプタマニホールド。
【請求項８】
実質的に平行なルアータイプの接続部を前記出口ポートの遠位に更に備える、請求項１に記載のアダプタマニホールド。
【請求項９】
前記シリンジコネクタを前記入口ポート内に封止するＯリングを前記円筒管の遠位部分上に更に備える、請求項６に記載のアダプタマニホールド。
【請求項１０】
マルチバレル式シリンジアプリケータの嵌合部分を捕捉するように構築され配置された可撓性スナップフックを前記アダプタ本体の近位部分の内側に更に備える、請求項１に記載のアダプタマニホールド。
【請求項１１】
２重バレル式シリンジアプリケータ用のアダプタマニホールドであって、
内部に２つの並列流体通路を有するアダプタ本体であって、前記流体通路が、第１の軸方向距離だけ離れた並列入口ポート及び第２の軸方向距離だけ離れた並列出口ポートを有し、前記第１の軸方向距離が前記第２の軸方向距離とは異なり、前記入口ポートが、環状バネ座によって取り囲まれている、アダプタ本体と、
近位部分にルアータイプの受容器を有し、遠位部分に円筒管を有する２つの並列シリンジコネクタであって、前記円筒管が、前記並列入口ポートに摺動可能に嵌合し、環状バネ座が前記円筒管を取り囲む、２つの並列シリンジコネクタと、
前記ルアータイプの受容器を取り囲む並列開口部を有する、前記アダプタ本体の近位部分内に位置決めされた、ルアータイプのリテーナと、
前記アダプタ本体の前記バネ座と前記シリンジコネクタの前記バネ座との間の圧縮バネと、を備える、アダプタマニホールド。
【請求項１２】
前記第１の軸方向距離が前記第２の軸方向距離よりも大きい、請求項１１に記載のアダプタマニホールド。
【請求項１３】
前記圧縮バネが、前記ルアータイプの受容器を前記ルアータイプのリテーナに対して付勢する、請求項１１に記載のアダプタマニホールド。
【請求項１４】
前記出口ポートの遠位にあり、かつ前記出口ポートと流体連通する並列型のルアータイプの接続部を更に備える、請求項１１に記載のアダプタマニホールド。
【請求項１５】
前記シリンジコネクタを前記入口ポート内に封止するＯリングを前記円筒管の遠位部分上に更に備える、請求項１１に記載のアダプタマニホールド。
【請求項１６】
マルチバレル式シリンジアプリケータの嵌合部分を捕捉するように構築され配置された可撓性スナップフックを前記アダプタ本体の近位部分の内側に更に備える、請求項１１に記載のアダプタマニホールド。
【請求項１７】
共反応性材料用のマルチバレル式シリンジ送達システムであって、
実質的に平行なシリンジ本体の遠位端に送達ノズルを有する前記シリンジ本体を有するマルチバレル式シリンジアプリケータと、
実質的に平行な入口ポート及び実質的に平行な出口ポートを有するアダプタ本体を備えるマニホールドであって、前記入口ポートが前記出口ポート間の軸方向距離とは異なる軸方向距離だけ離れており、前記マニホールドの前記入口ポートが前記送達ノズルと流体連通する、マニホールドと、
前記マニホールドの遠位端で前記出口ポートに接続された噴霧又は滴下混合先端部と、を備える、マルチバレル式シリンジ送達システム。
【請求項１８】
前記シリンジアプリケータがマルチピースシェルを有し、その内側部分が前記実質的に平行なシリンジ本体に適合し、前記マルチピースシェルの遠位端が前記アダプタ本体の近位端にスナップ嵌めされている、請求項１７に記載のマルチバレル式シリンジ送達システム。
【請求項１９】
前記送達ノズル間の軸方向距離が、前記アダプタ入口ポート間の前記軸方向距離と同じであり、前記マニホールド内の内部通路が、前記入口ポート間の前記軸方向距離から前記出口ポート間の前記軸方向距離まで適合するように構築され配置されている、請求項１７に記載のマルチバレル式シリンジ送達システム。
【請求項２０】
前記アダプタ本体が、前記入口ポートと流体連通し、ルアータイプの受容器を近位端に有する実質的に平行なシリンジコネクタを更に備え、前記シリンジコネクタが、前記シリンジ本体送達ノズルと封止連通するように付勢されている、請求項１７に記載のマルチバレル式シリンジ送達システム。
【請求項２１】
前記付勢が、前記アダプタ本体と前記ルアータイプの受容器との間に拘束されたエラストマスペーサで達成される、請求項２０に記載のマルチバレル式シリンジ送達システム。
【請求項２２】
前記付勢が、前記アダプタ本体と前記ルアータイプの受容器との間に拘束されたバネで達成される、請求項２０に記載のマルチバレル式シリンジ送達システム。
【請求項２３】
前記バネが、前記入口ポート及び前記シリンジコネクタを取り囲む圧縮バネであり、前記入口ポート及び前記シリンジコネクタを取り囲む環状バネ座間に拘束されている、請求項２２に記載のマルチバレル式シリンジ送達システム。
【請求項２４】
前記シリンジコネクタが、前記アダプタ本体の前記入口ポート内に摺動可能に位置決めされた円筒管をその遠位端に有する、請求項２０に記載のマルチバレル式シリンジ送達システム。
【請求項２５】
前記シリンジコネクタの前記ルアータイプの受容器が、前記ルアータイプの受容器を取り囲む実質的に平行な開口部を有する、前記アダプタ本体の近位部分内に位置決めされた、ルアータイプのリテーナによって、前記アダプタ本体内に摺動可能に拘束されて保持されている、請求項２０に記載のマルチバレル式シリンジ送達システム。
【請求項２６】
前記シリンジコネクタを前記入口ポート内に封止するＯリングを前記円筒管の遠位部分上に更に備える、請求項２４に記載のマルチバレル式シリンジ送達システム。
【請求項２７】
前記マルチバレル式シリンジアプリケータの嵌合部分を捕捉するように構築され配置された可撓性スナップフックを前記アダプタ本体の近位部分の内側に更に備える、請求項１７に記載のマルチバレル式シリンジ送達システム。
【発明の詳細な説明】
【技術分野】
【０００１】
多成分医療用封止剤材料用のマルチバレル式シリンジアプリケータから混合／送達先端部への流路を修正するためのアダプタマニホールドが開示されており、このシリンジアプリケータは、混合先端部と比較して、出口ノズル間で異なる軸方向距離を有する。
【背景技術】
【０００２】
近年、低侵襲的外科技術が、複数の外科的処置を実行するための従来の外科的技術の代替として出現している。低侵襲的処置は、複数の装置が小さな切開を通して身体内に導入され得るという点で、従来の外科手術とは異なる。その結果、身体への外傷が大幅に低減され、それによって患者の回復時間が短縮される。
【０００３】
一般的な低侵襲手術の一例は、腹腔鏡外科的処置を伴う。腹腔鏡処置は、ヘルニア、結腸機能不全、胃食道逆流症、胆嚢障害などを治療するために使用され得る。典型的には、手術を受けている患者は、手術を受けた後数時間で、自宅に戻るであろう。
【０００４】
低侵襲外科的処置を実施する際に提示される１つの課題は、縫合、結紮、及び焼灼などの標準的な外科的技術による出血の制御が無効であるか、又は非実用的であるときに、手術部位での出血を低減することに関する。従来の外科的処置とは対照的に、切開部位への外科医のアクセスは、低侵襲処置中に大幅に低減され、従来の止血技術が、効果を出すのが難しい場合がある。
【０００５】
最近、組織封止剤及び他の生物学的接着剤材料の使用が、切開部を封止する代替的な技術として出現している。このような組織封止剤は、共反応性トロンビン材料及びフィブリノゲン材料で構成されるフィブリンを含んでもよいが、他の複数成分材料が利用可能である。典型的には、封止剤材料の個々の成分は、隔離されたリザーバ内に貯蔵される。混合すると、これらの成分は、非常に迅速に凝固し、短時間で、恐らく１０又は２０秒以内にゲルを得ることができる。本体の外部に適用されるとき、又は適用部位への相当なアクセスが可能である場合、組織封止剤の急速な凝固特性が有利である。しかしながら、従来の組織封止剤のかかる速効特性は、腹腔鏡装置を介したそれらの適用中に、汚損又は詰まりの潜在的な問題を示し、これは典型的には、装置の破壊をもたらす。
【０００６】
上記で開示の処置で使用されるフィブリン封止剤の成分は、有利には、シリンジなどの別個のリザーバに保管され、封止される切開部位内への送達後にのみ組み合わせられる。最も好ましくは、シリンジは、ガラスの不活性及び気体不透過性に起因して、ガラスシリンジである。しかしながら、ガラスシリンジのノズル上でルアータイプの篏合の許容誤差を厳密に制御することは困難であり、シリンジと下流の適応部品との間の移行で液体成分が漏れる。
【０００７】
シリンジホルダ上に組み立てられた共反応性成分を収容する別個のシリンジは、Ｇｒｉｆｏｌｓ（Ｕ．Ｓ．Ａ．）から市販されている。しかしながら、ホルダ内のシリンジの出口ノズル間の軸方向距離は、他の医療装置供給元からの混合／送達先端部の入口ポート間の軸方向距離とは異なり得る。
【発明の概要】
【発明が解決しようとする課題】
【０００８】
したがって、シリンジ出口ノズル間の軸方向距離から混合先端部の入口ポート間の軸方向距離までの共反応性材料の流路を修正するために、Ｇｒｉｆｏｌｓシリンジホルダ装置に取り付けるアダプタが必要とされている。
【０００９】
加えて、アダプタ内の入口ポートとＧｒｉｆｏｌｓシリンジ内のガラス出口ノズルとの間に明確な封止を形成することができるアダプタが必要とされている。
【課題を解決するための手段】
【００１０】
本明細書では、マルチバレル式シリンジアプリケータ用のアダプタマニホールドであって、実質的に平行な入口ポート及び実質的に平行な出口ポートを有するアダプタ本体であって、入口ポートが、出口ポート間の軸方向距離とは異なる軸方向距離だけ離れているアダプタ本体と、ルアータイプの受容器を近位端に有する、入口ポートと流体連通する実質的に平行なシリンジコネクタと、を備え、シリンジコネクタが、アダプタ本体の近位端に向かって付勢されている、アダプタマニホールドが提示される。
【００１１】
一形態では、入口ポート間の軸方向距離は、出口ポート間の軸方向距離よりも大きい。
【００１２】
他の形態では、付勢は、アダプタマニホールドとルアータイプの受容器との間に拘束されたエラストマスペーサで、又は、圧縮バネが入口ポート及びシリンジコネクタを取り囲む場合などの、アダプタマニホールドとルアータイプの受容器との間に拘束され、入口ポート及びシリンジコネクタを取り囲む環状バネ座間に拘束されたバネで、達成される。
【００１３】
更に別の形態では、シリンジコネクタが、アダプタ本体の入口ポート内に摺動可能に位置決めされた円筒管をその遠位端に有し、Ｏリングが、シリンジコネクタを入口ポート内に封止する円筒管の遠位部分上に提供される。
【００１４】
一形態では、シリンジコネクタのルアータイプの受容器が、ルアータイプの受容器を取り囲む実質的に平行な開口部を有する、アダプタ本体の近位部分内に位置決めされた、ルアータイプのリテーナによって、アダプタ本体内に摺動可能に拘束されて保持されている。
【００１５】
別の形態では、アダプタマニホールドは、実質的に平行なルアータイプの接続部を出口ポートの遠位に更に備える。
【００１６】
更に別の形態では、アダプタマニホールドは、マルチバレル式シリンジアプリケータの嵌合部分を捕捉するように構築され配置された可撓性スナップフックをアダプタ本体の近位部分の内側に更に備える。
【００１７】
加えて、２重バレル式シリンジアプリケータ用のアダプタマニホールドであって、内部に２つの並列流体通路を有するアダプタ本体であって、流体通路が、第１の軸方向距離だけ離れた並列入口ポート及び第２の軸方向距離だけ離れた並列出口ポートを有し、第１の軸方向距離が第２の軸方向距離とは異なり、入口ポートが、環状バネ座によって取り囲まれている、アダプタ本体と、近位部分にルアータイプの受容器を有し、遠位部分に円筒管を有する２つの並列シリンジコネクタであって、円筒管が、並列入口ポートに摺動可能に嵌合し、環状バネ座が円筒管を取り囲む、２つの並列シリンジコネクタと、ルアータイプの受容器を取り囲む並列開口部を有する、アダプタ本体の近位部分内に位置決めされた、ルアータイプのリテーナと、アダプタ本体のバネ座とシリンジコネクタのバネ座との間の圧縮バネと、を備える、アダプタマニホールドが提供される。
【００１８】
一形態では、第１の軸方向距離は第２の軸方向距離よりも大きい。
【００１９】
別の形態では、圧縮バネは、ルアータイプの受容器をルアータイプのリテーナに対して付勢する。
【００２０】
アダプタマニホールドは、出口ポートの遠位にあり、かつ出口ポートと流体連通する並列型のルアータイプの接続部と、シリンジコネクタを入口ポート内に封止する円筒管の遠位部分上のＯリングと、を更に備えることができる。
【００２１】
加えて、アダプタマニホールドは、マルチバレル式シリンジアプリケータの嵌合部分を捕捉するように構築され配置された可撓性スナップフックをアダプタ本体の近位部分の内側に更に備えることができる。
【００２２】
また、本明細書では、共反応性材料用のマルチバレル式シリンジ送達システムであって、実質的に平行なシリンジ本体の遠位端に送達ノズルを有するマルチバレル式シリンジアプリケータと、実質的に平行な入口ポート及び実質的に平行な出口ポートを有するアダプタ本体を備えるマニホールドであって、入口ポートが、出口ポート間の軸方向距離とは異なる軸方向距離だけ離れており、マニホールドの入口ポートが送達ノズルと流体連通する、マニホールドと、マニホールドの遠位端で出口ポートに接続された噴霧又は滴下混合先端部と、を備える、シリンジ送達システムも提示される。
【００２３】
有利には、シリンジアプリケータは、マルチピースシェルを有し、その内側部分が、実質的に平行なシリンジ本体に適合し、マルチピースシェルの遠位端がアダプタ本体の近位端にスナップ嵌めされている。
【００２４】
一形態では、送達ノズル間の軸方向距離は、アダプタ入口ポート間の軸方向距離と同じであり、マニホールド内の内部通路は、入口ポート間の軸方向距離から出口ポート間の軸方向距離まで適合するように構築され配置されている。
【００２５】
別の形態では、アダプタ本体は、入口ポートと流体連通し、ルアータイプの受容器を近位端に有する実質的に平行なシリンジコネクタを更に備え、シリンジコネクタは、シリンジ本体送達ノズルと封止連通するように付勢されている。
【００２６】
一形態では、付勢は、アダプタ本体とルアータイプの受容器との間に拘束されたエラストマスペーサで達成される。代替的に、付勢は、バネが、入口ポート及びシリンジコネクタを取り囲む圧縮バネであり、入口ポート及びシリンジコネクタを取り囲む環状バネ座間に拘束される場合などの、アダプタ本体とルアータイプの受容器との間に拘束されたバネで達成される。
【００２７】
別の形態では、シリンジコネクタは、アダプタ本体の入口ポート内に摺動可能に位置決めされた円筒管をその遠位端に有している。
【００２８】
更に別の形態では、シリンジコネクタのルアータイプの受容器は、ルアータイプの受容器を取り囲む実質的に平行な開口部を有する、アダプタ本体の近位部分内に位置決めされた、ルアータイプのリテーナによって、アダプタ本体内に摺動可能に拘束されて保持されている。
【００２９】
有利には、マルチバレル式シリンジ送達システムは、シリンジコネクタを入口ポート内に封止する円筒管の遠位部分上のＯリングと、マルチバレル式シリンジアプリケータの嵌合部分を捕捉するように構築され配置された、アダプタ本体の近位部分内の可撓性スナップフックと、を更に備えることができる。
【図面の簡単な説明】
【００３０】
本明細書に開示される形態は、添付図面の図において、例として、かつ限定としてではなく図示され、同様の参照番号は、類似の要素を指す。
【図１】本開示によるアダプタの斜視図である。
【図２】図１のアダプタの分解図である。
【図３】図１のアダプタの断面図である。
【図４】近位端の詳細を示す図１のアダプタの断面斜視図である。
【図５】図１のアダプタの側断面図である。
【図６】本開示による、シリンジ送達システムの部分分解斜視図である。
【図７】図６のシリンジ送達システムの完全分解図である。
【図８】シリンジ送達システムのアダプタ部分の断面上面図である。
【図９】シリンジ送達システムの別の形態の断面概略図である。
【発明を実施するための形態】
【００３１】
マルチシリンジ式送達装置を混合先端部に接続するアダプタである医療装置であって、送達装置のシリンジノズルが、混合先端部の入口ポートとは異なる軸方向距離だけ離れている医療装置が本明細書に記載されている。
【００３２】
様々な態様を、説明の目的で選択された特定の形態を参照しながら以下に説明する。本明細書に開示された装置、システム及び方法の趣旨及び範囲は選択された形態に限定されないことが理解されるであろう。更に、本明細書で提供される図は、特定の比率又は縮尺で描かれているわけではなく、図示の形態に対して多くの変形を加えることができることに留意されたい。
【００３３】
本明細書中で使用されるとき、「ａ」、「ａｎ」、及び「ｔｈｅ」という単数の文法的形態で書かれた以下の用語のそれぞれはまた、本明細書において特に具体的に定義若しくは記載されない限り、又は文脈がそうでない旨を明確に指示しない限り、複数の記載された実体又はオブジェクトを指し、かつそれを包含してもよい。例えば、本明細書で使用するとき、語句「装置」、「アセンブリ」、「機構」、「成分」、及び「要素」もまた、複数の装置、複数のアセンブリ、複数の機構、複数の成分、及び複数の要素を、それぞれ参照し、包含してもよい。
【００３４】
以下の用語、「含む（k）」、「含む（including）」、「有する（has）」、「有する（having）」、「含む（comprises）」、及び「含む（comprising）」のそれぞれ、並びにそれらの言語的もしくは文法的な変異形、派生語、及び／又は活用形は、本明細書で使用するとき、「含むが、これらに限定されない」を意味する。
【００３５】
例示的な説明、実施例及び添付の特許請求の範囲を通して、パラメータ、特徴、目的又は寸法の数値は、ある数値範囲形式を用いて述べられ又は説明される。記載された数値範囲形式は、本明細書に開示された形態の実施を説明するために提供されているのであり、本明細書に開示された形態の範囲を限定するものであると理解又は解釈されるべきではない。
【００３６】
更に、数値範囲を記載又は説明するために、「約第１の数値と約第２の数値との間の範囲内の」という表現は、「約第１の数値から約第２の数値まで範囲内の」という表現と同等であると見なされ、同じことを意味する。したがって、２つの同義の意味の句は互換的に使用することができる。
【００３７】
本明細書に開示される様々な形態は、それらの適用において、本方法の形態の操作若しくは実施のステップ若しくはプロシージャ、及びサブステップ若しくはサブプロシージャの順番若しくは順序、及び数の詳細に限定されない、又は、本明細書で特に具体的に記載されない限り、以下の例示的な説明、添付の図面、及び実施例に記載される、システム、システムサブユニット、装置、アセンブリ、サブアセンブリ、機構、構造体、成分、要素、及び機器構成の、種類、組成、構造、配置、順序、及び数、並びにシステムの形態の周辺機器、ユーティリティ、付属品、及び材料の詳細に限定されないことが理解されるべきである。本明細書に開示される機器、システム、及び方法は、様々な他の代替形態及び様々な他の代替方法に従って実施又は実現することができる。
【００３８】
本開示全体をとおして本明細書で使用される全ての技術的及び科学的用語、用語、及び／又は語句は、本明細書において特に具体的に定義又は記載されない限り、当業者によって一般的に理解されるものと同一又は類似の意味のいずれかを有することも理解されたい。本開示全体をとおして本明細書で使用される表現法、用語法、及び表記法は、説明の目的のためのものであり、限定するものと見なされるべきではない。
【００３９】
用語「遠位」は、分注端部に最も近い装置又は構成要素の端部を指す。用語「近位」は、分注端部から最も遠い装置又は構成要素の端部を指す。
【００４０】
本明細書で使用されるとき、用語「実質的に平行な」は、開示される物品の要素に適用されるとき、要素が平行に近いが必ずしも完全に平行である必要はないことを意味することが意図される。例えば、要素は、それらが配設される上覆構造内に閉じ込められる限り、互いに対してわずかな角度で配設することができる。
【００４１】
マルチシリンジ送達装置を、封止を必要とする切開部などの手術部位に複数の共反応性材料を送達するための混合先端部に接続するアダプタが、本明細書に提示される。具体的には、切開部位は、従来の縫合によって封止することが困難であり、その代わりに、生物学的封止剤の使用を必要とするものであり得る。１つの周知の封止剤はフィブリンであり、これは、フィブリノゲン及びトロンビンが組み合わされるときに形成される。これらの共反応性材料は、生体内で天然に発生しているが、単離された材料として市販されており、後での混合及び切開部、創傷部などの封止に使用のために保管し、医療専門家に送達することができる。
【００４２】
フィブリン封止剤の長期保管は、重合性材料（フィブリノゲン）及び開始剤又は促進剤（トロンビン）の両方が生体物質であり、比較的不安定であるという事実によって面倒である。長期保管は、材料の温度を凍結（０℃）温度以下に維持すること、並びに、極めて不活性で、耐ガス透過性であることが周知なガラスに保管することによって容易になる。フィブリノゲン及びトロンビンを含有するフィブリン接着剤は、市販されるようになってきており、本明細書と同日に出願された代理人整理番号４０００５５−２００６０を有する同時係属出願に開示されているものなどの、ホルダ又はカートリッジに包装することができる別個のガラスシリンジ本体内に冷凍され保管され得る。
【００４３】
冷凍保管輸送は比較的高価であり、医療施設内の冷凍保管空間は限定され得る。カートリッジシステムは、冷凍保管中に必要とされるパッケージの容積を制限する。更に、処置で１ユニットを超える生物製剤が（場合によってはケースとして）必要とされる場合、アプリケーション装置は、新たな装置を取得するのではなく、別のカートリッジで再装填され、したがって、廃棄物を減らすことができる。
【００４４】
マニホールド及び混合先端部などの共働する医療装置にこれらの共反応性材料を送達するためのガラスシリンジの使用は、そのルアータイプの篏合の許容誤差がしばしば、漏れを防止するのに十分に狭くないという事実によって面倒である。加えて、ガラスシリンジを手術室の中で操作することは困難である。有利には、他の装置へのルアータイプのテーパ状ノズルの封止は、ガラスノズルと対応する受け入れ用ルアータイプのテーパとの間のプレス嵌めによって達成することができる。本開示の装置は、ノズル上のルアータイプのナット以外の付勢手段を使用することにより、このプレス嵌めを達成して、ガラスノズルと付随する装置の受け入れ用ルアータイプのテーパとの間の封止力を生成する。このシステムは、ガラスシリンジの取り扱いを最小限に抑え、それらの調製及び使用を最大限に容易にする。
【００４５】
場合によっては、カートリッジ内のシリンジの出口ノズル間の軸方向距離は、他の医療装置供給元からの混合／送達先端部の入口ポート間の軸方向距離とは異なり得る。
【００４６】
複数のシリンジの出口ノズルと選択された混合先端部の入口ポートとの間の間隔差に対処するために、マルチバレル式シリンジアプリケータ用のアダプタマニホールドが本明細書に提示される。
【００４７】
図１〜図５に示されるように、アダプタマニホールド１００は、実質的に平行な入口ポート１１２及び実質的に平行な出口ポート１１４を有するアダプタ本体１１０を備え、入口ポート１１２は、出口ポート１１４間の軸方向距離ｄ２とは異なる軸方向距離ｄ１だけ離れている。一形態では、軸方向距離ｄ１は軸方向距離ｄ２よりも大きい。アダプタマニホールドは、入口ポート１１２と流体連通する実質的に平行なシリンジコネクタ１３０を有し、シリンジコネクタ１３０は、近位端にルアータイプの受容器１３２を有し、遠位端に円筒管１３６を有する。シリンジコネクタ１３０の円筒管１３６部分は、アダプタ本体１１０の入口ポート１１２内に摺動可能に位置決めされ、かつ、シリンジコネクタ１３０をアダプタ本体の近位端に向かって付勢するように作用する圧縮バネ１２０又はエラストマスペーサ３２０（図９）などの付勢手段によって取り囲まれている。加えて、円筒管１３６の遠位部分には、入口ポート１１２内にシリンジコネクタ１３０を封止するＯリング１３８が設けられている。２バレル式シリンジアプリケータ用のアダプタが図示されているが、アダプタは、所望すれば、２つより多いシリンジバレルを収容するように構築され配置され得ることが理解される。
【００４８】
圧縮バネ１２０は、入口ポート１１２とシリンジコネクタ１３０の円筒管１３６の両方を取り囲み、入口ポート１１２とシリンジコネクタ１３０の両方を取り囲む環状バネ座１３４間に拘束されている（図３及び図４で最もよく分かる）。したがって、バネ１２０が圧縮されるとき、シリンジコネクタ１３０のルアータイプの受容器１３２は、アダプタ本体１１０の近位端に向かって付勢される。エラストマスペーサ３２０を使用する付勢も同様であり、エラストマスペーサ３２０は、アダプタ本体１１０の内部部分とルアータイプの受容器１３２との間に拘束されている。シリンジコネクタ１３０の近位端のルアータイプの受容器１３２は、アダプタ本体１１０の近位部分内に位置決めされたルアータイプリテーナ１４０によって、アダプタ本体１１０内に摺動可能に拘束されて保持されている。ルアータイプリテーナは、ルアータイプの受容器１３２を取り囲む実質的に平行な開口部を有する。
【００４９】
アダプタマニホールドは、更に、出口ポート１１４の遠位にあるＬｕｅｒ  Ｌｏｋ（登録商標）ナットなどの実質的に平行なルアータイプの接続部１５０を有し、噴霧混合先端部又は滴下混合先端部２２０（図６）への接続を可能にする。アダプタはまた、アダプタ本体１１０の近位部分の内側に可撓性スナップフック１１６を有し、これは、マルチバレル式シリンジアプリケータ２１０（図６）の嵌合部分を捕捉するように構築され配置されている。
【００５０】
別の形態では、２重バレル式シリンジアプリケータ用のアダプタマニホールド１００であって、内部に２つの並列流体通路１１５を有するアダプタ本体１１０であって、並列流体通路１１５が第１の軸方向距離ｄ１だけ離れた並列入口ポート１１２及び第２の軸方向距離ｄ２だけ離れた並列出口ポート１１４を有し、第１の軸方向距離ｄ１が第２の軸方向距離ｄ２とは異なり、入口ポート１１２が環状バネ座１３４によって取り囲まれている、アダプタ本体１１０を備える、アダプタマニホールド１００が提示される。管１１４ａが、入口ポート１１２の遠位部分から延びて、出口ポート１１４を形成する。一形態では、管１１４ａは、入口ポート１１２の中心軸からオフセットされて、ｄ１とｄ２との間の距離の差を達成する実質的に平行な軸を有する。アダプタはまた、近位部分にルアータイプの受容器１３２を有し、遠位部分に円筒管１３６を有する２つの並列シリンジコネクタ１３０であって、円筒管１３６が、並列入口ポート１１２に摺動可能に嵌合し、環状バネ座１３４が円筒管１３６を取り囲む、２つの並列シリンジコネクタ１３０と、ルアータイプの受容器１３２を取り囲む並列開口部を有する、アダプタ本体１１０の近位部分内に位置決めされた、ルアータイプのリテーナ１４０と、アダプタ本体のバネ座１３４とシリンジコネクタ１３６のバネ座１３４との間の圧縮バネ１２０と、を有する。
【００５１】
別の形態では、封止を必要とする切開部などの手術部位に共反応性材料を送達するためのマルチバレル式シリンジ送達システムが提示される。図６〜図９は、シリンジ本体２１２の遠位端に送達ノズル２１３を有する実質的に平行なシリンジ本体２１２を有するマルチバレル式シリンジアプリケータ２１０を含む、マルチバレル式シリンジ送達システム２００を示す。２バレル式シリンジアプリケータが示されているが、この装置は、所望であれば、２つより多いシリンジバレルを収容するように構築され配置され得ることが理解される。送達システムはまた、実質的に平行な入口ポート１１２及び実質的に平行な出口ポート１１４を有するアダプタ本体１１０を備えるマニホールド１００を含み、入口ポート１１２は、出口ポート１１４間の軸方向距離ｄ２とは異なる軸方向距離ｄ１だけ離れている（図１〜図５を参照）。マニホールド１００の入口ポート１１２は、送達ノズル２１３と流体連通する。送達システムはまた、マニホールド１００の遠位端で出口ポート１１４に接続された噴霧混合先端部又は滴下混合先端部２２０を有する。
【００５２】
シリンジアプリケータ２１０は、マルチピースシェル２１４であって、その内側部分が実質的に平行なシリンジ本体２１２に適合するマルチピースシェル２１４を有する。マルチピースシェル２１４の遠位端は、近位部分の内側にスナップフック１１６を有するアダプタ本体１１０の近位端内にスナップ嵌めされる。シリンジ送達ノズル２１３とアダプタマニホールド１００の出口ポート１１４との間の流路の修正を提供するために、アダプタ入口ポート１１２間の軸方向距離ｄ１は、送達ノズル２１３間の軸方向距離ｄ３と同じであるように構成され、マニホールド１００内の内部通路１１５は、入口ポート１１２間の軸方向距離ｄ１から出口ポート１１４間の軸方向距離ｄ２まで適合するように構築され配置されている。
【００５３】
アダプタ本体１１０は、入口ポート１１２と流体連通し、ルアータイプの受信機１３２を近位端に有する、実質的に平行なシリンジコネクタ１３０を含む。シリンジコネクタ１３０は、シリンジ本体送達ノズル２１３と封止連通するように付勢されている。一形態では、付勢は、アダプタ本体１１０とルアータイプの受容器１３２との間に拘束されたエラストマスペーサ３２０で達成される。別の形態では、付勢は、アダプタ本体１１０とルアータイプの受容器１３２との間に拘束されたバネ１２０で達成される。有利には、バネ１２０は、入口ポート１１２及びシリンジコネクタ１３０を取り囲む圧縮バネであり、入口ポート１１２及びシリンジコネクタ１３０を取り囲む環状ばね座１３４間に拘束されている。
【００５４】
この形態では、シリンジコネクタ１３０が、アダプタ本体１１０の入口ポート１１２内に摺動可能に位置決めされた円筒管１３６をその遠位端に有し、また、シリンジコネクタ１３０のルアータイプの受容器１３２が、ルアータイプの受容器１３２を取り囲む並列開口部を有する、アダプタ本体１１０の近位部分内に位置決めされた、ルアータイプのリテーナ１４０によって、アダプタ本体１１０内に摺動可能に拘束されて保持されている。好都合には、円筒管１３６の遠位部分上にＯリング１３８が存在して、入口ポート１１２内でシリンジコネクタ１３０を封止する。加えて、マルチバレル式シリンジ送達システム２００は、マルチバレル式シリンジアプリケータ２１０の嵌合部分を捕捉するように構築され配置された可撓性スナップフック１１６を、アダプタ本体１１０の近位部分の内側に含む。
【００５５】
ＰＣＴ１．マルチバレル式シリンジアプリケータ用のアダプタマニホールドであって、実質的に平行な入口ポート及び実質的に平行な出口ポートを有するアダプタ本体であって、入口ポートが、出口ポート間の軸方向距離とは異なる軸方向距離だけ離れている、アダプタ本体と、ルアータイプの受容器を近位端に有する、入口ポートと流体連通する実質的に平行なシリンジコネクタと、を備え、シリンジコネクタが、アダプタ本体の近位端に向かって付勢されている、アダプタマニホールド。
【００５６】
ＰＣＴ２．入口ポート間の軸方向距離が、出口ポート間の軸方向距離よりも大きい、パラグラフＰＣＴ１に記載のアダプタマニホールド。
【００５７】
ＰＣＴ３．付勢が、アダプタマニホールドとルアータイプの受容器との間に拘束されたエラストマスペーサで、又はアダプタマニホールドとルアータイプの受容器との間に拘束されたバネで、達成される、パラグラフＰＣＴ１に記載のアダプタマニホールド。
【００５８】
ＰＣＴ４．バネが、入口ポート及びシリンジコネクタを取り囲む圧縮バネであり、入口ポート及びシリンジコネクタを取り囲む環状バネ座間に拘束されている、パラグラフＰＣＴ３に記載のアダプタマニホールド。
【００５９】
ＰＣＴ５．シリンジコネクタが、アダプタ本体の入口ポート内に摺動可能に位置決めされた円筒管をその遠位端に有する、パラグラフＰＣＴ１〜ＰＣＴ４のいずれかに記載のアダプタマニホールド。
【００６０】
ＰＣＴ６．シリンジコネクタのルアータイプの受容器が、ルアータイプの受容器を取り囲む実質的に平行な開口を有する、アダプタ本体の近位部分内に位置決めされた、ルアータイプのリテーナによって、アダプタ本体内に摺動可能に拘束されて保持されている、パラグラフＰＣＴ１〜ＰＣＴ５のいずれかに記載のアダプタマニホールド。
【００６１】
ＰＣＴ７．実質的に平行なルアータイプの接続部を出口ポートの遠位に更に備える、パラグラフＰＣＴ１〜ＰＣＴ６のいずれかに記載のアダプタマニホールド。
【００６２】
ＰＣＴ８．シリンジコネクタを入口ポート内に封止するＯリングを円筒管の遠位部分上に更に備える、パラグラフＰＣＴ５に記載のアダプタマニホールド。
【００６３】
ＰＣＴ９．マルチバレル式シリンジアプリケータの嵌合部分を捕捉するように構築され配置された可撓性スナップフックをアダプタ本体の近位部分の内側に更に備える、パラグラフＰＣＴ１〜ＰＣＴ８のいずれかに記載のアダプタマニホールド。
【００６４】
ＰＣＴ１０．共反応性材料用のマルチバレル式シリンジ送達システムであって、実質的に平行なシリンジ本体の遠位端に送達ノズルを有するシリンジ本体を有するマルチバレル式シリンジアプリケータと、実質的に平行な入口ポート及び実質的に平行な出口ポートを有するアダプタ本体を備えるマニホールドであって、入口ポートが出口ポート間の軸方向距離とは異なる軸方向距離だけ離れており、マニホールドの入口ポートが送達ノズルと流体連通する、マニホールドと、マニホールドの遠位端で出口ポートに接続された噴霧又は滴下混合先端部と、を備える、マルチバレル式シリンジ送達システム。
【００６５】
ＰＣＴ１１．シリンジアプリケータがマルチピースシェルを有し、その内側部分が実質的に平行なシリンジ本体に適合し、マルチピースシェルの遠位端がアダプタ本体の近位端にスナップ嵌めされている、パラグラフＰＣＴ１０に記載のマルチバレル式シリンジ送達システム。
【００６６】
ＰＣＴ１２．送達ノズル間の軸方向距離が、アダプタ入口ポート間の軸方向距離と同じであり、マニホールド内の内部通路が、入口ポート間の軸方向距離から出口ポート間の軸方向距離まで適合するように構築され配置されている、ＰＣＴ１０又はＰＣＴ１１に記載のマルチバレル式シリンジ送達システム。
【００６７】
ＰＣＴ１３．アダプタ本体が、入口ポートと流体連通し、ルアータイプの受容器を近位端に有する実質的に平行なシリンジコネクタを更に備え、シリンジコネクタが、シリンジ本体送達ノズルと封止連通するように付勢されている、ＰＣＴ１０〜ＰＣＴ１２のいずれかに記載のマルチバレル式シリンジ送達システム。
【００６８】
ＰＣＴ１４．付勢が、アダプタ本体とルアータイプの受容器との間に拘束されたエラストマスペーサで、又はアダプタ本体とルアータイプの受容器との間に拘束されたバネで達成される、パラグラフＰＣＴ１３に記載のマルチバレル式シリンジ送達システム。
【００６９】
ＰＣＴ１５．バネが、入口ポート及びシリンジコネクタを取り囲む圧縮バネであり、入口ポート及びシリンジコネクタを取り囲む環状バネ座間に拘束されている、パラグラフＰＣＴ１４に記載のマルチバレル式シリンジ送達システム。
【００７０】
ＰＣＴ１６．シリンジコネクタが、アダプタ本体の入口ポート内に摺動可能に位置決めされた円筒管をその遠位端に有する、パラグラフＰＣＴ１３〜ＰＣＴ１５のいずれかに記載のマルチバレル式シリンジ送達システム。
【００７１】
ＰＣＴ１７．シリンジコネクタのルアータイプの受容器が、ルアータイプの受容器を取り囲む実質的に平行な開口部を有する、アダプタ本体の近位部分内に位置決めされた、ルアータイプのリテーナによって、アダプタ本体内に摺動可能に拘束されて保持されている、パラグラフＰＣＴ１３〜ＰＣＴ１６のいずれかに記載のマルチバレル式シリンジ送達システム。
【００７２】
ＰＣＴ１８．シリンジコネクタを入口ポート内に封止するＯリングを円筒管の遠位部分上に更に備える、パラグラフＰＣＴ１６又はＰＣＴ１７に記載のマルチバレル式シリンジ送達システム。
【００７３】
ＰＣＴ１９．マルチバレル式シリンジアプリケータの嵌合部分を捕捉するように構築され配置された可撓性スナップフックをアダプタ本体の近位部分の内側に更に備える、パラグラフＰＣＴ１０〜ＰＣＴ１８のいずれかに記載のマルチバレル式シリンジ送達システム。
【００７４】
産業上の利用可能性
本明細書に開示されるシステム及び方法は、医療装置産業に適用可能である。
【００７５】
上記の開示は、独立した有用性を有する複数の別個の発明を包含すると考えられる。これらの発明のそれぞれは、その好ましい形態で開示されているが、本明細書に開示及び例示されるこれらの特定の実施形態は、多くの変形が可能であるため、限定的な意味で考慮されるべきではない。本発明の主題は、本明細書に開示される様々な要素、特徴、機能、及び／又は特性の全ての新規かつ非自明の組み合わせ及び下位組み合わせを含む。同様に、「特許請求の範囲」が「１つの（ａ）」又は「第１の」要素又はその等価物を列挙する場合、このような「特許請求の範囲」は、１つ又は２つ以上のそのような要素の組み込みを含み、２つ又はそれ以上のそのような要素を必要とすることも除外することも含まないことを理解すべきである。
【００７６】
以下の「特許請求の範囲」は、開示される発明の１つを対象とする特定の組み合わせ及び下位組み合わせを具体的に指摘し、新規かつ非自明であると考えられる。特徴、機能、要素、及び／又は特性の他の組み合わせ及び下位組み合わせで具現化された発明は、本特許請求の範囲の修正、又は本願もしくは関連出願における新規の特許請求の範囲の提示を介して特許請求され得る。そのような修正又は新規の特許請求の範囲はまた、それらが異なる発明を対象とするか、又は同一の発明を対象としているかに関わらず、元の特許請求の範囲と異なるか、より広いか、より狭いか、又は同一の範囲であるかに関わらず、本開示の発明の主題に含まれるものと見なされる。
【００７７】
〔実施の態様〕
（１）  マルチバレル式シリンジアプリケータ用のアダプタマニホールドであって、
実質的に平行な入口ポート及び実質的に平行な出口ポートを有するアダプタ本体であって、前記入口ポートが、前記出口ポート間の軸方向距離とは異なる軸方向距離だけ離れている、アダプタ本体と、
ルアータイプの受容器を近位端に有する、前記入口ポートと流体連通する実質的に平行なシリンジコネクタと、を備え、前記シリンジコネクタが、前記アダプタ本体の近位端に向かって付勢されている、アダプタマニホールド。
（２）  前記入口ポート間の前記軸方向距離が、前記出口ポート間の前記軸方向距離よりも大きい、実施態様１に記載のアダプタマニホールド。
（３）  前記付勢が、前記アダプタマニホールドと前記ルアータイプの受容器との間に拘束されたエラストマスペーサで達成される、実施態様１に記載のアダプタマニホールド。
（４）  前記付勢が、前記アダプタマニホールドと前記ルアータイプの受容器との間に拘束されたバネで達成される、実施態様１に記載のアダプタマニホールド。
（５）  前記バネが、前記入口ポート及び前記シリンジコネクタを取り囲む圧縮バネであり、前記入口ポート及び前記シリンジコネクタを取り囲む環状バネ座間に拘束されている、実施態様４に記載のアダプタマニホールド。
【００７８】
（６）  前記シリンジコネクタが、前記アダプタ本体の前記入口ポート内に摺動可能に位置決めされた円筒管をその遠位端に有する、実施態様１に記載のアダプタマニホールド。
（７）  前記シリンジコネクタの前記ルアータイプの受容器が、前記ルアータイプの受容器を取り囲む実質的に平行な開口部を有する、前記アダプタ本体の近位部分内に位置決めされた、ルアータイプのリテーナによって、前記アダプタ本体内に摺動可能に拘束されて保持されている、実施態様１に記載のアダプタマニホールド。
（８）  実質的に平行なルアータイプの接続部を前記出口ポートの遠位に更に備える、実施態様１に記載のアダプタマニホールド。
（９）  前記シリンジコネクタを前記入口ポート内に封止するＯリングを前記円筒管の遠位部分上に更に備える、実施態様６に記載のアダプタマニホールド。
（１０）  マルチバレル式シリンジアプリケータの嵌合部分を捕捉するように構築され配置された可撓性スナップフックを前記アダプタ本体の近位部分の内側に更に備える、実施態様１に記載のアダプタマニホールド。
【００７９】
（１１）  ２重バレル式シリンジアプリケータ用のアダプタマニホールドであって、
内部に２つの並列流体通路を有するアダプタ本体であって、前記流体通路が、第１の軸方向距離だけ離れた並列入口ポート及び第２の軸方向距離だけ離れた並列出口ポートを有し、前記第１の軸方向距離が前記第２の軸方向距離とは異なり、前記入口ポートが、環状バネ座によって取り囲まれている、アダプタ本体と、
近位部分にルアータイプの受容器を有し、遠位部分に円筒管を有する２つの並列シリンジコネクタであって、前記円筒管が、前記並列入口ポートに摺動可能に嵌合し、環状バネ座が前記円筒管を取り囲む、２つの並列シリンジコネクタと、
前記ルアータイプの受容器を取り囲む並列開口部を有する、前記アダプタ本体の近位部分内に位置決めされた、ルアータイプのリテーナと、
前記アダプタ本体の前記バネ座と前記シリンジコネクタの前記バネ座との間の圧縮バネと、を備える、アダプタマニホールド。
（１２）  前記第１の軸方向距離が前記第２の軸方向距離よりも大きい、実施態様１１に記載のアダプタマニホールド。
（１３）  前記圧縮バネが、前記ルアータイプの受容器を前記ルアータイプのリテーナに対して付勢する、実施態様１１に記載のアダプタマニホールド。
（１４）  前記出口ポートの遠位にあり、かつ前記出口ポートと流体連通する並列型のルアータイプの接続部を更に備える、実施態様１１に記載のアダプタマニホールド。
（１５）  前記シリンジコネクタを前記入口ポート内に封止するＯリングを前記円筒管の遠位部分上に更に備える、実施態様１１に記載のアダプタマニホールド。
【００８０】
（１６）  マルチバレル式シリンジアプリケータの嵌合部分を捕捉するように構築され配置された可撓性スナップフックを前記アダプタ本体の近位部分の内側に更に備える、実施態様１１に記載のアダプタマニホールド。
（１７）  共反応性材料（co-reactive materials）用のマルチバレル式シリンジ送達システムであって、
実質的に平行なシリンジ本体の遠位端に送達ノズルを有する前記シリンジ本体を有するマルチバレル式シリンジアプリケータと、
実質的に平行な入口ポート及び実質的に平行な出口ポートを有するアダプタ本体を備えるマニホールドであって、前記入口ポートが前記出口ポート間の軸方向距離とは異なる軸方向距離だけ離れており、前記マニホールドの前記入口ポートが前記送達ノズルと流体連通する、マニホールドと、
前記マニホールドの遠位端で前記出口ポートに接続された噴霧又は滴下混合先端部と、を備える、マルチバレル式シリンジ送達システム。
（１８）  前記シリンジアプリケータがマルチピースシェルを有し、その内側部分が前記実質的に平行なシリンジ本体に適合し、前記マルチピースシェルの遠位端が前記アダプタ本体の近位端にスナップ嵌めされている、実施態様１７に記載のマルチバレル式シリンジ送達システム。
（１９）  前記送達ノズル間の軸方向距離が、前記アダプタ入口ポート間の前記軸方向距離と同じであり、前記マニホールド内の内部通路が、前記入口ポート間の前記軸方向距離から前記出口ポート間の前記軸方向距離まで適合するように構築され配置されている、実施態様１７に記載のマルチバレル式シリンジ送達システム。
（２０）  前記アダプタ本体が、前記入口ポートと流体連通し、ルアータイプの受容器を近位端に有する実質的に平行なシリンジコネクタを更に備え、前記シリンジコネクタが、前記シリンジ本体送達ノズルと封止連通（sealing communication）するように付勢されている、実施態様１７に記載のマルチバレル式シリンジ送達システム。
【００８１】
（２１）  前記付勢が、前記アダプタ本体と前記ルアータイプの受容器との間に拘束されたエラストマスペーサで達成される、実施態様２０に記載のマルチバレル式シリンジ送達システム。
（２２）  前記付勢が、前記アダプタ本体と前記ルアータイプの受容器との間に拘束されたバネで達成される、実施態様２０に記載のマルチバレル式シリンジ送達システム。
（２３）  前記バネが、前記入口ポート及び前記シリンジコネクタを取り囲む圧縮バネであり、前記入口ポート及び前記シリンジコネクタを取り囲む環状バネ座間に拘束されている、実施態様２２に記載のマルチバレル式シリンジ送達システム。
（２４）  前記シリンジコネクタが、前記アダプタ本体の前記入口ポート内に摺動可能に位置決めされた円筒管をその遠位端に有する、実施態様２０に記載のマルチバレル式シリンジ送達システム。
（２５）  前記シリンジコネクタの前記ルアータイプの受容器が、前記ルアータイプの受容器を取り囲む実質的に平行な開口部を有する、前記アダプタ本体の近位部分内に位置決めされた、ルアータイプのリテーナによって、前記アダプタ本体内に摺動可能に拘束されて保持されている、実施態様２０に記載のマルチバレル式シリンジ送達システム。
【００８２】
（２６）  前記シリンジコネクタを前記入口ポート内に封止するＯリングを前記円筒管の遠位部分上に更に備える、実施態様２４に記載のマルチバレル式シリンジ送達システム。
（２７）  前記マルチバレル式シリンジアプリケータの嵌合部分を捕捉するように構築され配置された可撓性スナップフックを前記アダプタ本体の近位部分の内側に更に備える、実施態様１７に記載のマルチバレル式シリンジ送達システム。
【図１】
2021521917.tif 000003
【図２】
2021521917.tif 000004
【図３】
2021521917.tif 000005
【図４】
2021521917.tif 000006
【図５】
2021521917.tif 000007
【図６】
2021521917.tif 000008
【図７】
2021521917.tif 000009
【図８】
2021521917.tif 000010
【図９】
2021521917.tif 000011
【国際調査報告】
2021521917.tif 000012
2021521917.tif 000013